(57)【要約】      （修正有）【課題】手で害虫に触れることなく簡単、確実に害虫を捕獲し、処分可能な害虫捕獲部を提供する。【解決手段】ホース先端の開口に着脱自在に挿入可能な中空の挿入部３、挿入部３から前方に延設された中空で前端が開口するとともに、後端が挿入部３に連通した捕獲部４、捕獲部４の中空内部の内、後寄りに装着されて、空気の通過は許容し、害虫の通過を阻止する害虫阻止部、捕獲部４の中空内部の内、前端部の内面に設けられた粘着シート６とを含む。捕獲部４の前端部は、外力を加えることにより潰れるように変形し、粘着シート６の粘着により開口４Ａが閉塞するように形成されている。【選択図】図１
0003234717.tif 000002
【実用新案登録請求の範囲】
【請求項１】
掃除機のホース先端の開口に着脱自在に装着可能で、掃除機の吸引力で内部に吸引された害虫を捕獲する害虫捕獲具であって、
ホース先端の開口に着脱自在に挿入可能な中空の挿入部と、
挿入部から前方に延設された中空で前端が開口するとともに、後端が挿入部に連通した捕獲部と、
捕獲部の中空内部の内、後寄りに装着されて、空気の通過は許容し、害虫の通過を阻止する害虫阻止部と、
捕獲部の中空内部の内、前端部の内面に設けられた粘着層と、
を含み、
捕獲部の前端部は、外力を加えることにより潰れるように変形し、粘着層の粘着により開口が閉塞するように形成されていること、
を特徴とする害虫捕獲具。
【請求項２】
捕獲部の前端部が断面四角形の筒状に形成されていること、
を特徴とする請求項１記載の害虫捕獲具。
【請求項３】
挿入部は、ホースの開口に挿入される先端に向かって径が細くなるテーパ状に形成されていること、
を特徴とする請求項１または２記載の害虫捕獲具。
【請求項４】
害虫阻止部は、網状に形成されていること、
を特徴とする請求項１乃至３の内のいずれか一項記載の害虫捕獲具。
【考案の詳細な説明】
【技術分野】
【０００１】
本考案は害虫捕獲具に係り、とくに掃除機のホース先端に取り付けて害虫を捕獲する害虫捕獲具に関する。
【背景技術】
【０００２】
台所、居間などに出現した害虫を手で捕まえるのは困難であり、従来は、掃除機で吸い込んで捕獲するようにしていた。けれども、掃除機のホース内に害虫が詰まると、結局、手で取り出さなければならず、面倒であるとともに不衛生であった。また、掃除機のゴミパックがゴミで一杯の状態のときに、捕獲したとき、ゴミパックを捨てようとした際にゴミパックの口から害虫が床に落ちてしまい、処置に困る問題があった。
【考案の概要】
【考案が解決しようとする課題】
【０００３】
本考案は上記した従来技術の問題に鑑みなされたもので、手で害虫を触ることなく、簡単、確実に害虫を捕獲し、処分することが可能な害虫捕獲具を提供することを、その目的とする。
【課題を解決するための手段】
【０００４】
請求項１記載の考案は、
掃除機のホース先端の開口に着脱自在に装着可能で、掃除機の吸引力で内部に吸引された害虫を捕獲する害虫捕獲具であって、
ホース先端の開口に着脱自在に挿入可能な中空の挿入部と、
挿入部から前方に延設された中空で前端が開口するとともに、後端が挿入部に連通した捕獲部と、
捕獲部の中空内部の内、後寄りに装着されて、空気の通過は許容し、害虫の通過を阻止する害虫阻止部と、
捕獲部の中空内部の内、前端部の内面に設けられた粘着層と、
を含み、
捕獲部の前端部は、外力を加えることにより潰れるように変形し、粘着層の粘着により開口が閉塞するように形成されていること、
を特徴としている。
請求項２記載の考案は、
捕獲部の前端部が断面四角形の筒状に形成されていること、
を特徴としている。
請求項３記載の考案は、
挿入部は、ホースの開口に挿入される先端に向かって径が細くなるテーパ状に形成されていること、
を特徴としている。
請求項４記載の考案は、
害虫阻止部は、網状に形成されていること、
を特徴としている。
【考案の効果】
【０００５】
本考案によれば、害虫捕獲具の挿入部を掃除機のホース先端の開口に挿入し、掃除機を可動させて吸引力により害虫を捕獲部の前端の開口から内部に吸引する。吸引された害虫は、害虫阻止部により、ホース側への通過が阻止されるため、捕獲部の中空内部に留まる。捕獲部の前端部を床、壁、テーブル等の物体に押し付けたり、手で押圧したりして、外力を加えて潰れるように変形させると、粘着層同士が粘着して開口が閉じる。掃除機の可動を止め、害虫捕獲具をホースから外し、中に害虫が入ったままゴミとして捨てることにより、手で害虫を触ることなく、簡単、確実に害虫を捕獲し、処分することができる。
【図面の簡単な説明】
【０００６】
【図１】図１は本考案の一実施例に係る害虫捕獲具の使用状態を示す一部省略した外観斜視図である（実施例１）。
【図２】図２は図１中の害虫捕獲具の平面図である。
【図３】図３は図２の正面図である。
【図４】図４は図３中のＩＶ−ＩＶ’線に沿った断面図である。
【図５】図５は害虫捕獲具の使用方法の説明図である。
【図６】図６は害虫捕獲具の使用方法の説明図である。
【図７】図７は害虫捕獲具の使用方法の説明図である。
【図８】図８は害虫捕獲具の使用方法の説明図である。
【考案を実施するための最良の形態】
【０００７】
以下、本考案の最良の形態を実施例に基づき説明する。
【実施例１】
【０００８】
図１乃至図４を用いて本考案の一実施例に係る害虫捕獲具を説明する。図１は害虫捕獲具の使用状態を示す一部省略した外観斜視図、図２は図１中の害虫捕獲具の平面図、図３は図２の正面図、図４は図３中のＩＶ−ＩＶ’線に沿った断面図である。
図１乃至図４において、１は全体が紙製の使い捨て式の害虫捕獲具であり、掃除機（図示せず）のホース２の先端の開口２Ａに着脱自在に装着して、掃除機の吸引力を使用して害虫を内部に捕獲する。害虫捕獲具１の内、３はホース２先端の開口２Ａに着脱自在に挿入可能な中空の挿入部、４は挿入部３から前方に延設された中空で前端が開口するとともに、後端が挿入部３に一体化されて内部が挿入部３と連通した断面が正方四角形の筒状の捕獲部、５は捕獲部４の中空内部の内、後寄りに装着されて、空気の通過は許容し、害虫の通過を阻止するための網状に形成された害虫阻止部、６は捕獲部４の中空内部の内、前端部の内側の四面に貼着された粘着シートであり、外面に設けられた粘着層７が中空内部に向いている。
【０００９】
挿入部３は、中空かつ捕獲部４側の径が太く、ホース２の開口２Ａに挿入される先端に向かって径が細くなるテーパ状に形成されており、内径の異なる種々のホース２に装着可能になっている。捕獲部４は、断面が正方四角形の中空な筒状に形成されており、前端が開口４Ａとなっている。捕獲部４は前端部の四隅の角部の一つを床、壁、テーブル等の物体に押し付けたり、前端部を外側から手で押圧したりして、外力を加えることにより、断面がひし形に潰れるように変形し、粘着シート６の外面の粘着層７が相互に粘着して開口４Ａが閉塞するように形成されている。
【００１０】
次に、図５乃至図８を参照して上記した害虫捕獲具１の使用方法を説明する。
掃除機（図示せず）のホース２の開口２Ａの中に、害虫捕獲具１の挿入部３の径の細い側を挿入して装着する。次に、床にいる害虫Ｄに捕獲部４の開口を近づけ、掃除機を稼働する。この際、捕獲部４の開口４Ａの２辺が床と平行、他の２辺が床と垂直になるようにし、床と捕獲部４の前端部との間に隙間が開かないようにする（図５参照）。
掃除機の吸引力により、害虫Ｄは空気とともに開口４Ａから捕獲部４の中空内部に吸込まれる。但し、害虫阻止部５により挿入部３側への移動は阻止されて、害虫阻止部５の手前側の捕獲部４の中空内部に留まる（図６（１）参照）。
【００１１】
掃除機の稼働は続けたまま、ホース２を操作して捕獲部４の前端部を４５度、軸周りに回転させて四隅の内の一つの角部を床、壁、テーブル等の物体に向け、この角部を床、壁、テーブル等の物体に押し付ける（図６（２）、図７（１）参照）。すると捕獲部４の前端部は断面がひし形に潰れるように変形し、開口４Ａが狭くなることで負圧により変形が加速し、粘着シート６の外面に設けた粘着層７同士が粘着して開口４Ａを閉塞する（図７（２）参照）。この結果、害虫Ｄは捕獲部４の内部に閉じ込められた状態となる（図８参照）。
なお、物体への押し付けて捕獲部４の前端部を潰す以外に、前端部を外側から手で押圧しも良く、要は、外力を加えて潰れるように変形させれば良い。
掃除機の稼働を止め、ホース２の開口２Ａから挿入部３を抜いて、害虫捕獲具１を中の害虫Ｄごと、ゴミ袋に捨てて処分する。
【００１２】
この実施例によれば、害虫捕獲具１の挿入部３を掃除機のホース先端の開口２Ａに挿入し、掃除機を可動させて吸引力により害虫Ｄを捕獲部４の前端の開口４Ａから内部に吸引する。吸引された害虫Ｄは、害虫阻止部５により、ホース２側への通過が阻止されるため、捕獲部４の中空内部に留まる。捕獲部４の前端の角部を床、壁、テーブル等の物体に押し付けたり、前端部を外側から手で押圧することにより、外力を加えて潰れるように変形させると、粘着シート６の外面の粘着層７同志が粘着して開口４Ａが閉じる。掃除機の可動を止め、害虫捕獲具１をホース２から外し、中に害虫Ｄが入ったままゴミとして捨てることにより、手で害虫Ｄを触ることなく、簡単、確実に害虫Ｄを捕獲し、処分することができる。
【００１３】
上記した実施例では、捕獲部を断面正方四角形の筒状としたが、本考案は何らこれに限定されず、四角形以外の多角形としたり、円形、楕円形などとしても良い。
また、捕獲部の前端部に開口端から後方へ延びるスリット、折り目、ミシン目を開口の周囲に複数個設け、床への押し付けで前端部が潰れ易くなるようにしても良い。
また、材質も紙製に限定されず、プラスチックなど、ゴミとして処分可能な他の材質で形成しても良い。
【産業上の利用可能性】
【００１４】
本考案は、掃除機のホースに装着して害虫を捕獲する使い捨ての害虫捕獲具に適用可能である。
【符号の説明】
【００１５】
１  害虫捕獲具
２  ホース
３  挿入部
４  捕獲部
５  害虫阻止部
６  粘着シート
７  粘着層
【図１】
0003234717.tif 000003
【図２】
0003234717.tif 000004
【図３】
0003234717.tif 000005
【図４】
0003234717.tif 000006
【図５】
0003234717.tif 000007
【図６】
0003234717.tif 000008
【図７】
0003234717.tif 000009
【図８】
0003234717.tif 000010